(57)【要約】【課題】  任意の場所で、任意の撮影対象の撮影画像を取得可能とする。【解決手段】  撮影管理システムは、通信機能を備えた複数の撮影装置１０４と、撮影対象に関する情報を含む撮影要請情報を発信する撮影要請装置１０８と、撮影装置から受信した情報に基づいて該撮影装置の位置情報を得るとともに、該位置情報と撮影要請情報とに基づいて、上記複数の撮影装置のうち特定の撮影装置を選択する管理装置１０１とを有する。管理装置又は撮影要請装置からは、上記選択された撮影装置に対して撮影要請情報が送信される。撮影装置は撮影画像を、指定された画像送信先に送信する。【選択図】  図１
2005167504.tif 000002
【特許請求の範囲】
【請求項１】
通信機能を備えた複数の撮影装置と、
撮影対象に関する情報を含む撮影要請情報を発信する撮影要請装置と、
前記撮影装置から受信した情報に基づいて該撮影装置の位置情報を得るとともに、該位置情報と前記撮影要請情報とに基づいて、前記複数の撮影装置のうち特定の撮影装置を選択する管理装置とを有することを特徴とする撮影管理システム。
【請求項２】
前記管理装置は、前記選択した撮影装置に、前記撮影要請情報を送信することを特徴とする請求項１に記載の撮影管理システム。
【請求項３】
前記管理装置は、選択した１又は複数の撮影装置を表すリスト情報を前記撮影要請装置に送信し、
前記撮影要請装置は、前記リスト情報の中から撮影を要請する撮影装置を選択可能とする選択手段を有し、該選択手段により選択された撮影装置を表す選択情報を前記管理装置に送信し、
前記管理装置は、前記選択情報に対応する撮影装置に前記撮影要請情報を送信することを特徴とする請求項１に記載の撮影管理システム。
【請求項４】
前記管理装置は、選択した１又は複数の撮影装置を表すリスト情報を前記撮影要請装置に送信し、
前記撮影要請装置は、前記リスト情報の中から撮影を要請する撮影装置を選択可能とする選択手段を有し、該選択手段により選択された撮影装置に前記撮影要請情報を送信することを特徴とする請求項１に記載の撮影管理システム。
【請求項５】
前記撮影装置は、撮影画像を前記管理装置に送信することを特徴とする請求項１から４のいずれか１つに記載の撮影管理システム。
【請求項６】
前記管理装置は、前記撮影要請装置から受信した画像送信先に撮影画像を送信することを特徴とする請求項５に記載の撮影管理システム。
【請求項７】
前記撮影装置は、前記撮影要請装置から受信した画像送信先に撮影画像を送信することを特徴とする請求項１から４のいずれか１つに記載の撮影管理システム。
【請求項８】
前記撮影装置は、該撮影装置の状態に関する情報である撮影装置情報を前記管理装置に送信し、
前記管理装置は、前記撮影装置情報と前記位置情報と前記撮影要請情報とに基づいて前記特定の撮影装置を選択することを特徴とする請求項１から７のいずれか１つに記載の撮影管理システム。
【請求項９】
前記撮影要請装置は、前記撮影装置の動作を制御するための制御信号を前記管理装置を介して又は直接、該撮影装置に送信し、
前記撮影装置は前記制御信号に応じて動作することを特徴とする請求項１から７のいずれか１つに記載の撮影管理システム。
【請求項１０】
撮影対象に関する情報を含む撮影要請情報を発信する撮影要請装置と、
複数の撮影装置の位置情報と前記撮影要請情報とに基づいて、前記複数の撮影装置のうち特定の撮影装置を選択する管理装置とを有する撮影管理システムに用いられる撮影装置であって、
前記管理装置に前記位置情報を取得させるための情報を発信し、かつ前記管理装置又は前記撮影要請装置から送信された前記撮影要請情報を受信することを特徴とする撮影装置。
【請求項１１】
前記管理装置又は前記撮影要請装置から受信した画像送信先に撮影画像を送信することを特徴とする請求項１０に記載の撮影装置。
【請求項１２】
該撮影装置の状態に関する情報である撮影装置情報を前記管理装置に送信することを特徴とする請求項１０又は１１に記載の撮影装置。
【請求項１３】
前記撮影要請装置又は前記管理装置から受信した指令信号に応じて動作することを特徴とする請求項１０から１２のいずれか１つに記載の撮影装置。
【請求項１４】
通信機能を備えた複数の撮影装置と、撮影対象に関する情報を含む撮影要請情報を発信する撮影要請装置とを有する撮影管理システムに用いられる管理装置であって、
前記撮影装置から受信した情報に基づいて該撮影装置の位置情報を得るとともに、該位置情報と前記撮影要請情報とに基づいて、前記複数の撮影装置のうち特定の撮影装置を選択することを特徴とする管理装置。
【請求項１５】
前記選択した撮影装置に前記撮影要請情報を送信することを特徴とする請求項１４に記載の管理装置。
【請求項１６】
前記選択した１又は複数の撮影装置を表すリスト情報を前記撮影要請装置に送信することを特徴とする請求項１４に記載の管理装置。
【請求項１７】
前記撮影要請装置から送信された、前記リスト情報の中から選択された撮影装置を表す選択情報を受信し、
該選択情報に対応する撮影装置に前記撮影要請情報を送信することを特徴とする請求項１６に記載の管理装置。
【請求項１８】
該撮影装置の状態に関する情報である撮影装置情報を前記撮影装置から受信し、該撮影装置情報と前記位置情報と前記撮影要請情報とに基づいて前記特定の撮影装置を選択することを特徴とする請求項１４から１７のいずれか１つに記載の管理装置。
【請求項１９】
前記撮影装置を動作させるための指令信号を前記撮影要請装置から受信し、該指令信号を前記撮影装置に送信することを特徴とする請求項１４から１８のいずれか１つに記載の管理装置。
【請求項２０】
前記撮影装置から送信された撮影画像を受信し、前記撮影要請装置から受信した画像送信先に前記撮影画像を送信することを特徴とする請求項１４から１９のいずれか１つに記載の管理装置。
【請求項２１】
通信機能を備えた複数の撮影装置と、前記撮影装置から受信した情報に基づいて該撮影装置の位置情報を得るとともに、該位置情報と撮影対象に関する情報を含む撮影要請情報とに基づいて、前記複数の撮影装置のうち特定の撮影装置を選択する管理装置とを有する撮影管理システムに用いられる撮影要請装置であって、
前記管理装置に、前記撮影要請情報を送信することを特徴とする撮影要請装置。
【請求項２２】
前記管理装置から送信された、該管理装置が選択した１又は複数の撮影装置を表すリスト情報を受信し、
前記リスト情報の中から撮影を要請する撮影装置を選択可能とする選択手段を有し、
該選択手段により選択された撮影装置を表す選択情報を前記管理装置に送信することを特徴とする請求項２１に記載の撮影要請装置。
【請求項２３】
前記管理装置から送信された、該管理装置が選択した１又は複数の撮影装置を表すリスト情報を受信し、
前記リスト情報の中から撮影を要請する撮影装置を選択可能とする選択手段を有し、
該選択手段により選択された撮影装置に前記撮影要請情報を送信することを特徴とする請求項２１に記載の撮影要請装置。
【請求項２４】
前記撮影装置による撮影画像の送信先を表す情報を前記管理装置又は撮影装置に送信することを特徴とする請求項２１から２３のいずれか１つに記載の撮影要請装置。
【請求項２５】
前記管理装置を介して又は直接、前記撮影装置にその動作を行わせるための指令信号を送信することを特徴とする請求項２１から２４のいずれか１つに記載の撮影要請装置。
【発明の詳細な説明】
【技術分野】
【０００１】
本発明は、撮影要請者の所有していない撮影装置を含む複数の撮影装置から、撮影要請者が要請する被写体の撮影が可能な撮影装置を自動的に選択し、撮影を行う撮影管理システムに関するものである。
【背景技術】
【０００２】
従来、観光地などに据え置き型カメラを複数台設置し、ユーザが予め指定されたカメラの撮影範囲に立ち、携帯端末などによりカメラの制御を行い、自動的に撮影が行われる撮影システムがある。
また、撮影装置に接続された携帯端末からの要請に応じて、観光地、テーマパーク、動物園等の撮影エリアにおける撮影地点や撮影対象を指示する撮影支援情報を該携帯端末に送信し、撮影支援を行うシステムが提案されている（例えば、特許文献１）。
【特許文献１】特開２００３−１１０７９２号公報（段落００３４〜００４０、図２等）
【発明の開示】
【発明が解決しようとする課題】
【０００３】
しかし、上記のようなシステムでは、据え置き型カメラの予め指定された撮影範囲や構図でしか撮影が行えなかったり、該カメラの設置場所又は撮影支援情報により指示された地点に撮影画像を欲しているユーザが自ら赴いて撮影を行わなければならない。したがって、ユーザが任意の撮影対象を任意の構図で撮影したい場合にそれに対応できなかったり、ユーザが離れた地点まで移動するのに手間がかかったりする等、不便な点が多い。
【０００４】
そこで、本発明では、ユーザが任意の撮影対象の地点まで移動することなく、その撮影対象の撮影画像を得られるようにした撮影管理システムを提供することを目的としている。
【課題を解決するための手段】
【０００５】
上記の目的を達成するために、本発明の撮影管理システムは、通信機能を備えた複数の撮影装置と、撮影対象に関する情報を含む撮影要請情報を発信する撮影要請装置と、撮影装置から受信した情報に基づいて該撮影装置の位置情報を得るとともに、該位置情報と撮影要請情報とに基づいて、上記複数の撮影装置のうち特定の撮影装置を選択する管理装置とを有する。
【０００６】
ここで、管理装置から、選択した撮影装置に撮影要請情報を送信（転送）するようにするとよい。若しくは、管理装置から、選択した１又は複数の撮影装置を表すリスト情報を撮影要請装置に送信し、撮影要請装置に、該リスト情報の中から撮影を要請する撮影装置を選択する選択手段を設け、該選択手段により選択された撮影装置を表す選択情報を管理装置に送信するようにする。そして管理装置に、該選択情報に対応する撮影装置に撮影要請情報を送信（転送）させるようにしてもよい。
【０００７】
また、管理装置から、選択した１又は複数の撮影装置を表すリスト情報を撮影要請装置に送信し、撮影要請装置は、リスト情報の中から撮影を要請する撮影装置を選択する選択手段を設け、該選択手段により選択された撮影装置に撮影要請情報を送信（転送）するようにしてもよい。
【０００８】
さらに、撮影装置から、撮影画像を管理装置又は撮影要請装置から受信した画像送信先に撮影画像を送信させるようにすることができる。
また、撮影装置から、該撮影装置の状態に関する情報である撮影装置情報を管理装置に送信し、管理装置において、撮影装置情報と位置情報と撮影要請情報とに基づいて上記特定の撮影装置を選択するようにしてもよい。
【０００９】
また、撮影要請装置から、撮影装置を動作させるための指令信号を管理装置を介して又は直接、該撮影装置に送信し、撮影装置がこの指令信号に応じて動作するようにしてもよい。
【発明の効果】
【００１０】
上記の撮影管理システムによれば、任意の撮影対象の画像を取得したいユーザが撮影要請装置から撮影要請情報を管理装置に送信すれば、管理装置において該撮影対象を撮影可能な撮影装置を選択する。そして、選択された撮影装置（を持っている者）に対して撮影を要請することにより、ユーザが該撮影対象の地点まで移動しなくても迅速にその撮影画像を取得することができる。
【００１１】
また、撮影要請装置から、リスト情報の中から撮影を要請する撮影装置を選択できるようにすれば、ユーザの希望に沿った撮影装置での画像取得が可能となる。
さらに、撮影装置から、撮影画像を予め指定した画像送信先に撮影画像を送信させるようにすれば、撮影画像の管理を容易に行うことができる。
【００１２】
また、管理装置において、撮影装置情報（撮影装置の種類、位置、方位、姿勢、撮影可否状況等）と位置情報と撮影要請情報とに基づいて撮影装置の選択を行うようにすれば、ユーザの希望によりきめ細かく対応した撮影装置の選択が可能となる。
【００１３】
また、撮影要請装置からの指令信号に応じて撮影装置の動作を制御できるようにすれば、撮影要請装置を保有したユーザの意図したタイミングや構図での遠隔撮影制御が可能となる。
【発明を実施するための最良の形態】
【００１４】
以下、本発明の実施例について図面を参照しながら説明する。
【実施例１】
【００１５】
図１（ａ）には、本発明の実施例１である撮影管理システムの概要を示している。本実施例１の撮影管理システムは、管理装置１０１と、撮影装置１０４と、撮影要請端末１０８の３つの装置から構成されている。
【００１６】
まず、管理装置１０１について、図１（ｂ）を参照して詳細に説明する。図１（ｂ）は管理装置１０１の構成を示すブロック図である。
【００１７】
管理制御部１２０は、管理装置１０１の一連の動作を制御する。また、撮影装置１０４および撮影要請端末１０８より入力される情報から撮影が可能な撮影装置のリストを作成するなど、一連の情報の処理を行う。管理制御部１２０はＯＳ（Ｏｐｅｒａｔｉｎｇ  Ｓｙｓｔｅｍ）等の制御プログラム、管理通信部１２１を制御するプログラム、および所要データを格納する内部メモリを有している。
【００１８】
また、この内部メモリには、撮影装置１０４と撮影要請端末１０８の位置情報、各装置の状態に関する情報、および撮影の可否に関する情報等の登録が可能となっている。
管理通信部１２１は、撮影装置１０４および撮影要請端末１０８との通信を行うための無線通信ユニットである。利用周波数や伝送方式にとくに制限はなく、携帯電話網、ＰＨＳ網やＢｌｕｅｔｏｏｔｈ（登録商標）などが使用できる。管理通信部１２１は、撮影装置１０４および撮影要請端末１０８と制御命令や画像データ等の交信を行う。そして、管理通信部１２１は、撮影要請端末１０８および撮影装置１０４からの受信データを管理制御部１２０へ出力し、また管理制御部１２０で処理したデータを撮影要請端末１０８および撮影装置１０４へ送信する。
【００１９】
次に、撮影装置１０４について図２を参照して詳細に説明する。撮影装置１０４は、例えばデジタルカメラ、またはカメラ付き携帯電話等の撮影機能を有する装置である。
図２（ａ）は撮影装置１０４の主要な構成を示す図であり、図２（ｂ）は撮影装置１０４の内部構成を示すブロック図である。
【００２０】
撮影制御部２１０は、撮影装置１０４の一連の動作を制御する。また、撮影制御部２１０は、ＯＳ等の制御プログラム、撮影部２１１、撮影表示部、撮影通信部を制御するプログラム、および所要データを格納する内部メモリを有している。
撮影部２１１は、ＣＣＤやＣＭＯＳセンサ等の光電変換素子（不図示）やシャッター２０１、ファインダー２０２、ストロボ２０３などから構成されている。撮影部２１１は、被写体を撮影した後、撮影した画像を画像信号に変換し、この画像信号を撮影制御部２１０に出力する。
【００２１】
撮影表示部２０５は、液晶ディスプレイ等により構成され、撮影制御部２１０からの出力により画像を表示する。
【００２２】
撮影操作部２０６，２０７は、操作者による撮影操作部２０６，２０７からの各種操作を電気信号に変換し、制御部２１０へ出力する。
【００２３】
撮影通信部２０４は、管理装置１０１および撮影要請端末１０８との通信を行うための無線通信ユニットである。利用周波数や伝送方式に特に制限はなく、携帯電話網、ＰＨＳ網やＢｌｕｅｔｏｏｔｈなどが使用できる。撮影通信部２０４は、管理装置１０１および撮影要請端末１０８と制御命令や画像データ等の交信を行う。そして、管理装置１０１および撮影要請端末１０８からの受信データを撮影制御部２１０へ出力し、また撮影制御部２１０により処理されたデータを、管理装置１０１および撮影要請端末１０８へ送信する。
【００２４】
音声入出力部２０９は、マイクロフォンおよびスピーカなどにより構成され、音声の入出力を可能とし、音声入力データを制御部２１０へ出力し、制御部２１０からの音声出力データにより音声を出力する。
【００２５】
また、記憶媒体として内部記憶媒体に加えて外部記憶媒体をスロット２０８より着脱可能であり外部記憶媒体によるデータの移動を可能としている。ここで内部記憶媒体および外部記憶媒体は撮影装置１０４に必ず必要なものではなく、どちらか一方またはまったく具備していなくてもよい。
【００２６】
図３（ａ）は撮影要請端末１０８の構成を示す図であり、図３（ｂ）は撮影要請端末１０８の内部構成を示すブロック図である。
端末制御部３０６は、撮影要請端末１０８の一連の機能を制御する。また、端末制御部３０６はＯＳ等の制御プログラム、端末表示部、端末通信部を制御するプログラム、および所要データを格納する内部メモリを有している。
【００２７】
端末通信部３０１は、管理装置１０１および撮影装置１０４との通信を行うための無線通信ユニットである。利用周波数や伝送方式にとくに制限はなく、携帯電話網、ＰＨＳ網やＢｌｕｅｔｏｏｔｈ（登録商標）などが使用できる。端末通信部３０１は、管理装置１０１および撮影装置１０４と制御命令や画像データ等の交信を行う。そして、端末通信部３０１は、管理装置１０１および撮影装置１０４からの受信データを端末制御部３０６へ出力し、また端末制御部３０６により処理されたデータを管理装置１０１および撮影装置１０４へ送信する。
【００２８】
端末表示部３０３は、液晶ディスプレイ等により構成され、端末制御部３０６からの出力を画像として表示する。
【００２９】
端末操作部３０４は、操作者による各種操作を電気信号に変換し、端末制御部３０６へ出力する。
【００３０】
音声出力部３０２は、スピーカ等により構成されている。端末制御部３０６からの出力を音声として出力する。
【００３１】
音声入力部３０５は、マイクロフォン等により構成されている。入力された音声データを電気信号に変換し、端末制御部３０６へ出力する。
次に、本実施例の撮影管理システムに関して図１（ａ）を参照して説明する。本システムを使用するユーザは、撮影装置１０４の所有者１０３と、撮影要請端末１０８を所有する撮影要請者１０７である。
【００３２】
撮影装置の所有者１０３および撮影要請者１０７は、事前に自己の所有する装置に関する情報（保有している装置の種類、撮影の可否、撮影装置の位置、撮影を要請する被写体の位置等）を管理装置１０１に登録し、管理装置１０１はそれら情報を管理する。このことにより、撮影装置の所有者１０３および撮影要請者１０７は、管理装置１０１を通じて、互いに位置情報等を得ることが可能となっている。
【００３３】
なお、位置情報を得る方法としては、上記のユーザによる入力以外にも、以下の方法が考えられる。
【００３４】
一つの方法としては、複数の基地局により構成される通信網（Ｂｌｕｅｔｏｏｔｈ技術、ＰＨＳ等）を利用する通信方式において、撮影エリア内に基地局を複数設置し、それら基地局の位置に関する情報を管理装置１０１の管理制御部１２０に記憶させる。そして、管理装置１０１がそれら基地局を通じて、撮影装置および撮影要請端末に問い合わせを行うことで、基地局の通信エリア内にそれら装置が位置しているか否かを判断し、装置の位置を確認することが可能である。
【００３５】
また、他の方法としては、撮影装置１０４および撮影要請端末１０８にＧＰＳ（Ｇｌｏｂａｌ Ｐｏｓｉｔｉｏｎｉｎｇ Ｓｙｓｔｅｍ）ユニットを搭載することで、それら通信網を利用した位置情報を補助、またはその代替として使用することが可能である。
【００３６】
管理装置１０１への登録を済ませた撮影要請者１０７は、撮影を希望するときには、撮影要請端末１０８から、撮影対象１１１に関する撮影対象情報（その位置や名称等の情報）を含む撮影要請情報１０９と、撮影要請者１０７の個人情報等を示す撮影要請者情報とを管理装置１０１へ送信する。
【００３７】
管理装置１０１は、上記撮影要請情報１０９（および必要に応じて撮影要請者情報）に基づいて、撮影対象１１１を撮影可能な位置および条件にある撮影装置１０４を、管理装置１０１に登録された装置の中から探索する。ここで、撮影要請者１０７が撮影を要請する撮影対象１１１は、撮影要請者１０７本人やその近辺に位置するようなものであるとは限らず、まったく別の場所に位置する対象を指定することも可能である。また、管理装置１０１による撮影装置の探索では、撮影装置１０４を複数台選択してもよい。
【００３８】
つづいて管理装置１０１は、撮影装置の探索の結果、撮影対象１１１を撮影可能と判断した撮影装置１０４の状態を各撮影装置へ問い合わせる。問い合わせを受けた撮影装置１０４は、撮影装置の状態に関する情報である撮影装置情報１０６を管理装置１０１へ送信する。
【００３９】
管理装置１０１は、上記撮影装置情報１０６も参照して、最終的に撮影対象１１１の撮影が可能な撮影装置１０４のリスト１０２を作成し、撮影要請者１０７の所有する撮影要請端末１０８へ送信する。
【００４０】
撮影要請者１０７は、撮影要請端末１０８が受信したリスト１０２から、所望の装置を選択し、撮影要請端末１０８により管理装置１０１へ送信する。
管理装置１０１は、選択された撮影装置１０４へ撮影要請情報１０９を送信する。選択された撮影装置１０４は受信した撮影要請情報１０９に基づき撮影要請者１０７の指定した撮影対象１１１の撮影を行う。
【００４１】
撮影された画像情報１０５は、管理装置１０１を経由し、撮影要請者１０７の指定した出力装置（画像送信先）へ送信される。
次に、本実施例の詳細な処理について図４から図１１を参照して説明する。
図４Ａ，４Ｂは本実施例の処理の流れを表すフローチャートである。図中の実線矢印は処理の順序を、点線矢印は無線通信による情報等の移動を表している。
【００４２】
ステップ（図ではＳと略す。）４０１では、撮影要請端末１０８の端末通信部３０１は、端末操作部３０４から撮影要請者１０７の操作により入力された撮影要請端末１０８の登録情報を管理装置１０１へ送信する。
ここで、図５に撮影要請端末１０８の登録情報入力画面の一例を示す。登録情報としては、撮影要請者１０７が、本システムを使用するにあたって必要最低限の情報を入力する登録情報フォーム（図５）と、より詳細な設定が可能な詳細設定フォーム（図６）が用意されている。
【００４３】
まず、撮影要請者１０７は、入力ボックス５０１にそれぞれ登録される個々の撮影要請端末を区別可能な、文字、数字等により構成されるＩＤを入力する。このＩＤは、管理装置１０１が自動的に割り振ってもよいし、撮影要請者１０７が任意に入力してもよい。
撮影要請者１０７が任意に入力した場合、管理装置１０１は入力されたＩＤが他の装置にすでに使用されているか否かの確認をし、すでに使用されている場合は新たなＩＤの入力を促すか、未使用なＩＤの候補を提示するなどのＩＤ重複回避措置を講じる。
【００４４】
入力ボックス５０２には撮影要請者の氏名を、５０３には性別を、５０４には年齢をそれぞれ入力する。これらの情報は撮影に必須な情報でないが、利用者情報として管理装置１０１が管理することで、利用者動向調査などに使用できるデータである。
【００４５】
入力ボックス５０５には、撮影された画像の送信先をリストより選択し入力する。画像送信先リストの候補としては撮影要請端末１０８自身である“この端末”、印刷装置を備える“プリントラボ”、アドレスを入力することで任意の記憶装置を指定可能な“アドレス指定”などが挙げられる。“プリントラボ”を選択した場合は管理装置１０１が指定する印刷装置を備えるプリントラボへ画像は送信され、撮影要請者１０７はそこへ赴くことでプリントされた画像を手に入れることが可能となる。
【００４６】
“アドレス指定”を選択した場合は他の選択候補のときはグレーアウトされている入力ボックス５０６が入力可能になりアドレスの入力が可能となる。
【００４７】
また、入力ボックス５０７には、撮影要請時に撮影可能な撮影装置１０４が複数存在する場合に、撮影装置１０４を選択する方法をリストより選択する。リストの候補としては、管理装置１０１より提示される撮影可能な撮影装置のリストの中から、所望の撮影装置１０４を入力する“リストから”、撮影装置１０４の選択を管理装置１０１にゆだねる“自動”などが挙げられる。
【００４８】
以上、５０１から５０７の入力ボックスに情報を入力し、送信ボタン５０８を選択することで撮影要請者１０７は管理装置１０１に、その情報を登録することが可能である。
なお、登録を中止するためのキャンセルボタン５１０、および撮影条件をより詳細に指定可能な詳細設定フォームを起動する詳細設定ボタン５０９も用意されている。
【００４９】
図６に、詳細設定フォームを示す。撮影要請者が詳細に撮影条件を指定したい場合には、このフォームの初期設定で表示されている入力ボックスの情報を変更することで撮影条件の詳細な設定が可能である。
【００５０】
入力ボックス６０１には、撮影対象を入力する。このボックスの初期設定は“自分”となっている。この場合、撮影要請者１０７を撮影対象として指定することになる。
撮影対象の他の入力候補としては、例えば“建物Ａ”、“ショーステージＢ”、“迷子センターＣ”、“駐車場Ｄ”など管理装置１０１が把握する特定の地点を挙げることが可能である。
【００５１】
また、他の撮影要請端末のＩＤを入力することで、ＩＤを公開しあう仲間を撮影することも可能である。入力ボックス６０２は、入力ボックス６０１において“自分”を入力したとき、または他の撮影要請端末のＩＤ入力時に入力可能となる。そして、入力ボックス６０１で指定した撮影要請端末１０８がどの地点に立ち入ったときに撮影を行うのかを指定することが可能である。
【００５２】
このボックスの初期設定は“自動”であり、撮影地点の選択は管理装置１０１にゆだねられる。撮影地点の他の入力候補としては撮影対象候補と同様に例えば“建物Ａ”、“ショーステージＢ”、“迷子センターＣ”、“駐車場Ｄ”などが挙げられる。
【００５３】
この場合は、主に上記の撮影対象候補に立ち入った撮影要請者１０７が、撮影されることとなる。入力ボックス６０１において“自分”を入力せず、上記のような撮影地点を撮影対象として入力した場合は、主に指定した撮影地点の風景画が、撮影されることとなる。
【００５４】
入力ボックス６０３は、撮影時間を指定するボックスであり、初期設定である“自動”では、管理装置１０１は、管理装置１０１への登録を終了した時点から撮影の終了を宣言するまでの間を、撮影対象時間と判断する。ここで“指定”を選択することにより“自動”の場合は入力不可であった入力ボックス６０４および６０５が入力可能となり、撮影指定時間の入力が可能となる。
【００５５】
入力ボックス６０６は、撮影の間隔を指定することが可能であり、初期設定では“０”が入力されており自動撮影は行われない。ここで間隔時間を指定することで、はじめて管理装置１０１は指定された間隔で、撮影対象１１１を上述した６０１、６０２、６０３、６０４および６０５の入力ボックスで指定する、すべての条件を満たす時刻に自動的に撮影を行う。
【００５６】
入力ボックス６０７には、撮影時間６０３、６０４、６０５で指定された時間内に、撮影を許可する最大撮影枚数を設定する。管理装置１０１は、最大撮影枚数と撮影時間とに基づき、撮影時間内で撮影が行われるよう、一回の撮影における最適な撮影枚数を自動的に算出する。
【００５７】
また、撮影最大枚数の残りが設定値以下になった場合に、管理装置１０１は、撮影要請端末１０８を通して、撮影要請者１０７に対してその旨を伝えることも可能である。
入力ボックス６０８では、撮影される画像サイズを、入力ボックス６０９では画像フォーマットを指定可能である。
【００５８】
入力ボックス６１０では、撮影時にストロボを使用する条件を指定することが可能であり、初期設定では“自動”が選択されており、その使用は撮影装置１０４が判断を行う。その他の選択候補としては、“常に使用”または“禁止”などが挙げられる。
入力ボックス６１１においては、撮影の画角を指定でき、初期設定“自動”においては、その選択は管理装置１０１に任される。他の指定候補としては“縦”“横”“斜め”などの撮影姿勢が挙げられる。
【００５９】
また、入力ボックス６１２では、撮影装置の機種を指定することが可能であり“自動”においては、その選択は管理装置１０１に任されるが、撮影要請者１０７はリストから撮影装置１０４の機種やメーカー、スペックを選択・指定することができる。入力候補の例としては例えば機種名“カメラＡ”、スペック“２００万画素以上のカメラ”などが挙げられる。
【００６０】
上記の要領で、入力した設定を管理装置１０１に送信するためのボタンが６１３であり、詳細設定フォームをキャンセルするボタンが、６１４に用意されている。
入力ボックス６０１から６１２に対して入力を行っても、キャンセルボタン６１４が選択されたならば、上記入力はすべて無効となり、すべての入力ボックスは、変更前の状態に戻り、図５の登録情報画面が再度表示される。
【００６１】
ステップ４０２では、撮影装置１０４の撮影制御部２１０は、上記撮影依頼装置１０８と同様に、管理装置１０１に対して撮影装置１０４の登録情報を、撮影通信部２０４により送信する。
【００６２】
図８に、撮影装置１０４の登録情報入力画面の一例を示す。登録情報としては、撮影装置所有者１０３が本システムを使用するにあたって必要最低限の情報を入力する登録情報フォーム（図８）と、提供する撮影装置１０４の使用に関する制限設定をより詳細に設定可能な詳細設定フォーム（図９）が用意されている。
【００６３】
まず、図８の登録情報フォームの、８０１の入力ボックスに、それぞれ登録される個々の撮影装置１０４を区別可能なＩＤを入力する。このＩＤは、管理装置１０１が自動に割り振ってもよいし、撮影装置所有者１０３が任意に入力してもよい。
【００６４】
撮影装置所有者１０３が任意に入力した場合には、管理装置１０１は、入力されたＩＤが他の装置にすでに使用されているか否かの確認をする。すでに使用されている場合は、新たなＩＤの入力を撮影装置所有者１０３に求めるか、または未使用のＩＤの候補を提示するなどのＩＤ重複回避措置を講じる。
【００６５】
入力ボックス８０２には、撮影装置所有者１０３の氏名を、８０３には性別を、８０４には年齢をそれぞれ入力する。これらの情報は撮影に必須な情報ではないが利用者情報として管理装置が管理することで、利用者動向などに使用できるデータである。
【００６６】
入力ボックス８０５では、撮影装置１０４の機種をリストより選択もしくは入力し、８０６では撮影要請者１０７から送信される撮影要請を確認するか否かの設定を行う。
【００６７】
ここで、撮影要請確認を“する”に設定すると、撮影装置所有者１０３は、管理装置１０１からの撮影要請時に撮影要請の確認を求められる。撮影装置所有者１０３は、撮影要請を確認することにより、撮影装置の使用を許可するか否かを決定することができる。
【００６８】
また、撮影要請情報確認を“しない”と設定すると、撮影装置の使用の許可は確認を求められない。
【００６９】
以上、８０１から８０６までの入力ボックスに情報を入力し、送信ボタン８０７を選択することで、管理装置１０１に、撮影装置１０４に関する情報を登録することが可能であるが、登録を中止するためのキャンセルボタン８０９、および撮影装置の使用に関する制限設定を、より詳細に指定可能な制限設定フォームを起動する制限設定ボタン８０８も用意されている。
【００７０】
ひきつづき、図９に撮影装置１０４の使用に関する制限設定入力画面の一例を示す。
撮影装置所有者１０３は、この画面の初期設定で表示されている入力ボックスの情報を変更することで、撮影装置１０４のより詳細な制限設定の変更が可能である。
【００７１】
入力ボックス９０１には、撮影対象の制限を入力する。このボックスの初期設定は“指定しない”となっており、撮影要請者１０７から要請される撮影対象１１１に、特に指定を設けない。
【００７２】
入力ボックス９０１の他の入力候補としては、例えば“建物Ａ”、“ショーステージＢ”、“迷子センターＣ”、“駐車場Ｄ”などが挙げられ、管理装置１０１が記憶する特定の対象のみを撮影許可することが可能である。また、撮影要請端末１０８のＩＤを入力することで、指定した撮影要請端末１０８のみを撮影するように設定することも可能である。
【００７３】
入力ボックス９０２は、撮影を許可する場所を入力する。このボックスの初期設定は、撮影対象を指定するボックス９０１と同様“指定しない”となっている。また他の入力候補としては、撮影対象候補と同様に例えば“建物Ａ”、“ショーステージＢ”、“迷子センターＣ”、“駐車場Ｄ”などが挙げられる。
【００７４】
入力ボックス９０３は、撮影時間を指定するボックスである。初期設定である“指定しない”では管理装置１０１への登録を終了した時点から撮影の終了を宣言するまでの間を撮影対象時間と、管理装置１０１は判断する。
【００７５】
ここで、“指定”を選択することにより、初期設定の“指定しない”選択時は入力不可であった入力ボックス９０４、９０５が、入力可能となり撮影指定時間の入力が可能となる。
【００７６】
入力ボックス９０６では、撮影装置１０４のバッテリー残量に応じた撮影制限を設定することが可能であり、撮影装置１０４のバッテリー残量が指定したパーセンテージ以下になると、自動的に撮影要請を受け付けないように設定する事が可能である。
【００７７】
入力ボックス９０７は、撮影枚数を設定することが可能である。
【００７８】
入力ボックス９０８では、撮影要請端末のＩＤを入力することで、指定した撮影要請端末１０８以外の撮影要請を却下するように設定できる。初期設定“指定しない”では、撮影要請端末１０８に特に指定を設けず、いずれの撮影要請も受け付ける設定となっている。
【００７９】
以上のようにして、制限設定フォームの入力を変更し、設定ボタン９０９を選択することで、撮影装置所有者１０３は何を（９０１）、どこで（９０２）、どの時間（９０３、９０４，９０５）、電源残量何％まで（９０６）、何枚（９０７）、誰からの要請によって（９０８）撮影を行うかを詳細に指定することが可能となる。
ステップ４０３では、管理装置１０１の管理通信部１２１は、上記の登録情報を受信する。
【００８０】
ステップ４０４では、管理装置１０１の管理制御部１２０は、受信した撮影要請端末１０８および撮影装置１０４に関する登録情報を一元的に管理する。以後の画像の撮影は、撮影要請者１０７が登録情報フォーム（図５）および詳細設定フォーム（図６）で設定したスケジュールにしたがうことになる。
【００８１】
ステップ４０５では、撮影要請端末１０８の撮影送信部２０４は、以上のように管理装置１０１に撮影要請端末１０８の登録をすでに行い、詳細設定フォーム（図６）の設定がなされた後でも、撮影対象１１１を撮影したいと希望した任意な時刻に、撮影要請情報１０９を管理装置１０１へ送信する。
【００８２】
図７に、このときの撮影要請情報１０９の入力画面の一例を示す。
【００８３】
ここで表示される撮影要請情報フォームは、登録時に設定した詳細設定フォーム（図６）と同じ項目に関しては設定がされていれば、その値が初期設定で入力されている。もちろんその設定を変更して、新たな設定で撮影要請を行うことも可能である。
入力ボックス７０１には撮影対象、７０２には撮影枚数を入力する。７０３には露出を設定することができ“自動”の他、“＋１／２”、“−１／２”など撮影装置の露出設定を詳細に指定する事が可能である。
【００８４】
７０４にはストロボ使用、７０５には画角、７０６には画像サイズ、７０７には画像フォーマット、７０８にはカメラの選択、７０９には撮影装置１０４の機種を登録時の詳細設定フォーム（図６）と同様の手順で入力する。
【００８５】
上記の設定を入力した後、撮影要請ボタン７１０を選択することで、撮影要請端末１０８から管理装置１０１へ撮影要請情報１０９が送信される。
【００８６】
また、キャンセルボタン７１１を選択することで撮影要請を中止することができる。
【００８７】
ステップ４０６では、管理装置１０１の管理通信部１２１は、上記撮影要請情報１０９を受信する。
【００８８】
ステップ４０７では、管理装置１０１の管理制御部１２０は、ステップ４０４においてあらかじめ記憶した撮影装置情報１０６の中から、上記入力された撮影要請情報１０９の条件を満たし、かつ撮影対象１１１を撮影可能な撮影装置１０４を探索する。
【００８９】
ステップ４０８では、管理装置１０１の管理制御部１２０が撮影可能な撮影装置１０４が発見できなかった場合は、ステップ４０９に進み撮影不可通知を撮影要請端末１０８に対して管理通信部１２１により送信する。
【００９０】
ステップ４１２では、撮影要請端末１０８の端末通信部３０１は、送信された撮影不可通知を受信し、端末表示部３０３により撮影不可通知を撮影要請者１０７に提示する。
一方、ステップ４０８において、管理装置１０１の管理制御部１２０が、撮影可能な撮影装置１０４を発見した場合は、ステップ４１０へ進む。
【００９１】
ステップ４１０では、管理装置１０１の管理通信部１２１は、発見された撮影装置１０４へ、現在の各撮影装置情報１０６に関する問い合わせを送信する。
ステップ４１１では、撮影装置１０４の撮影通信部２０４は、管理装置１０１からの問い合わせを受信する。
【００９２】
ステップ４１３では、撮影装置１０４の撮影通信部２０４は、上記問い合わせに応じて撮影装置情報を送信する。このときの撮影装置情報１０６は、撮影装置１０４の位置情報を少なくとも含み、その他に撮影装置１０４の姿勢や撮影可能枚数、バッテリー残量などの情報を含んでいる。
【００９３】
ステップ４１４では、管理装置１０１の管理通信部１２１は、上記撮影装置情報１０６を受信する。
【００９４】
ステップ４１５では、管理装置１０１の管理制御部１２０は、上記撮影装置情報１０６に基づき、撮影可能な撮影装置１０４のリスト１０２を作成する。このリスト１０２には撮影可能な撮影装置１０４の機種名が含まれ、さらに管理装置１０１が記憶している撮影装置情報１０６を含むことも可能である。
【００９５】
ステップ４１６では、管理装置１０１の管理通信部１２１は、撮影要請端末１０８へ上記リスト１０２を送信する。
【００９６】
ステップ４１７では、撮影要請端末１０８の端末制御部３０６は、リスト１０２を端末表示部３０３に表示する。
【００９７】
ステップ４１８では、撮影要請端末１０８を操作する撮影要請者１０７は、端末操作部３０４からの入力により、撮影を行う撮影装置１０４を、表示されたリスト１０２より選択する。このときの、端末表示部３０３での表示方法は、図１０に示すようにテキスト情報で表すことも可能であるし、図１１のようなアイコンで表示してもよいし、図１９のようにマップ形式で表現してもよい。さらには撮影要請端末１０８内に具備した音声出力用スピーカ３０２から音声情報として撮影可能装置リストの情報を出力してもよい。
【００９８】
ステップ４１９では、撮影要請端末１０８の端末通信部３０１は、撮影装置１０４の選択を管理装置１０１へ送信する。
【００９９】
ステップ４２０では、管理装置１０１の管理通信部１２１は、ステップ４１９において撮影装置１０４の選択を受信する。
【０１００】
ステップ４２１では、管理装置１０１の管理通信部１２１は、撮影要請情報１０９を、選択された撮影装置１０４に送信する。
【０１０１】
ステップ４２２では、撮影装置１０４の撮影通信部２０４は、撮影要請情報１０９を受信し、撮影制御部２１０は撮影表示部２０５上にそれら情報を表示する。
【０１０２】
ステップ４２３では、撮影装置１０４の撮影制御部２１０は、撮影装置所有者１０３の各種操作ボタン２０６、２０７の操作による撮影要請の承認の選択を判別する。
撮影要請の拒否であった場合は、ステップ４２５へ進み、撮影要請の承認であった場合は、ステップ４２９へ進む。
【０１０３】
ステップ４２５では、撮影装置１０４の撮影通信部２０４は、管理装置１０１へ撮影要請拒否を通知する。
【０１０４】
ステップ４２６では、管理装置１０１の管理通信部１２１は、撮影要請拒否通知を受信する。
【０１０５】
ステップ４２７では、管理装置１０１の管理通信部１２１は、つづけて撮影要請端末１０８へ同様の送信を行う。
【０１０６】
ステップ４２８では、撮影要請端末１０８の端末制御部３０６は、他の撮影装置１０４を撮影要請者１０７へ提示すべく、ステップ４１８へ戻る。このときの撮影装置１０４から撮影装置所有者１０３への撮影要請情報１０９の伝達は、上述したような表示装置２０５における表示に加え、音声出力用のスピーカ２０９による音声による伝達でもよい。さらには撮影装置所有者１０３の撮影要請の承認操作も、上述のような各種操作ボタン２０６、２０７を使用する方法に加え音声入力用のマイクロフォン２０９による音声入力手段を利用してもよい。
【０１０７】
またステップ４２１、４２２、４２３、４２４、４２９における撮影要請承認のステップは、ステップ４０３において送信した撮影装置１０４の登録情報フォームの撮影要請確認入力ボックス８０６の入力をあらかじめ“しない”に設定することによって省略することが可能である。
【０１０８】
ステップ４２９では、管理装置１０１の管理通信部１２１は、撮影装置１０４からの撮影要請承認を受信する。
【０１０９】
ステップ４３０では、管理装置１０１の管理通信部１２１は、撮影装置１０４へ撮影コマンドを送信する。
【０１１０】
ステップ４３１では、撮影装置１０４の撮影通信部２０４は、撮影コマンドを受信する。
【０１１１】
ステップ４３２では、撮影装置１０４の撮影部２１１は、自動的に撮影対象１１１の撮影を行う。
【０１１２】
ステップ４３３では、撮影装置１０４の撮影通信部２０４は、撮影された画像を、管理装置１０１へ送信する。
【０１１３】
ステップ４３４では、管理装置１０１の管理通信部１２１は、撮影画像を受信する。
【０１１４】
ステップ４３５では、管理装置１０１の管理通信部１２１は、撮影要請端末１０８もしくは撮影要請端末１０８の登録情報フォームの画像送信先入力ボックス５０５において指定した出力装置へ撮影画像を送信する。
ステップ４３６では、撮影要請端末１０８の端末通信部３０１は、上記撮影画像を受信する。
【０１１５】
ステップ４３７では、撮影要請端末１０８の端末制御部３０６は、指定された出力装置が撮影要請端末１０８自身の場合、撮影画像を端末表示部３０３上に表示し、撮影要請者１０７の確認を得る。
【０１１６】
ステップ４３８では、撮影要請端末１０８の端末制御部３０６は、撮影要請者１０７が撮影が終了したと判断したか否かを端末への入力から検出する。撮影が終了していない場合はステップ４０５へ戻り、撮影が終了した場合はステップ４３９へ進む。
ステップ４３９では、撮影要請端末１０８の端末制御部３０６は、このシステムへの登録の終了を管理装置１０１へ送信する。システムへの登録の終了が選択されたならば、管理装置１０１は対応する撮影要請端末１０８の登録情報をクリアし、自動撮影のスケジュールを停止する。
【０１１７】
以上説明したように本発明の実施例１によれば、管理装置が、複数の撮影装置とユーザの状態（保有している撮影装置の種類、撮影の可否、撮影装置の位置等）に関する情報を一元的に記憶し管理を行い、また管理装置が選択した撮影装置により自動的に撮影を行うことにより、カメラ等の撮影装置を所有しないユーザでも、任意の場所に存在する撮影対象に対して最適な撮影装置の選択と撮影を行うことができ、自由度の高い撮影環境を提供することができる。
【実施例２】
【０１１８】
前述した実施例１では、撮影要請に対して管理装置１０１が撮影コマンドを送信し、自動的に撮影装置１０４のシャッターを切り、撮影を行う（ステップ４３０〜４３２）構成について説明した。これに対し、本実施例においては、撮影装置所有者が撮影を行う点で実施例１と相違する。
【０１１９】
本実施例の処理のフローについて図１３〜１５Ａ，Ｂを参照して説明する。図１５Ａ，Ｂは、本実施例の処理の流れを表すフローチャートである。図中の実線矢印は処理の順序を、点線矢印は無線通信による情報等の移動を表している。
【０１２０】
実施例２においても、管理装置１０１への撮影要請端末１０８および撮影装置１０４の登録（ステップ１５０１〜１５０４）、撮影要請情報１０９の送受信と撮影可能な撮影装置１０４の探索およびリスト作成（ステップ１５０５〜１５１５）、および撮影可能な撮影装置リストからの撮影装置選択（ステップ１５１６〜１５１８）のフローは、実施例１と同様なため説明を省略する。
【０１２１】
つづく、本実施例の撮影要請承認と撮影処理に関するフローについて以下に説明をする。
【０１２２】
ステップ１５１９では、撮影要請端末１０８の端末送信部３０１は、選択した撮影装置を管理装置１０１へ送信する。
【０１２３】
ステップ１５２０では、管理装置１０１の管理通信部１２１は、選択した撮影装置の情報を受信する。
【０１２４】
ステップ１５２１では、管理装置１０１の管理通信部１２１は、選択された撮影装置へ、撮影の要請と撮影要請者の情報を送信する。
【０１２５】
ステップ１５２２では、撮影装置１０４の撮影通信部２０４は、撮影要請と撮影要請者の情報を受信する。
【０１２６】
ステップ１５２３では、撮影装置１０４の撮影制御部２１０は、撮影要請を受けるか否かの判断を撮影装置所有者１０３の撮影操作部２０６，２０７の入力より判別し、撮影する場合には、ステップ１５２４へ進む。撮影しない場合にはステップ１５２５へ進む。
【０１２７】
ステップ１５２４では、撮影装置所有者１０３が、撮影装置１０４により撮影対象１１１を撮影する。このような構成においては、撮影装置所有者１０４の承認を得るために、常に撮影要請情報１０９を送信することになるため、撮影装置１０４の登録情報フォーム（図８）のうち８０６は不必要となる。そして、ステップ１５０１で送信される撮影装置１０４の登録情報フォームは図１２のようになり、ステップ１５０５で送信される撮影要請フォームは図１３のようになる。
【０１２８】
ここで、１３０１で表される入力ボックス群は、上記実施例１の撮影要請フォーム（図７）とまったく同様の手順で入力する。
本実施例においては、撮影要請者１０７が撮影装置所有者１０３に撮影を要請することになるため、撮影要請者１０７と撮影装置所有者１０３とのコミュニケーションの必要性がより高まる。
【０１２９】
そこで、１３０２に示すように、撮影要請者１０７が撮影要請情報１０９においてコメントを書き込み、撮影装置の所有者１０３へ送信する仕組みを有することによりコミュニケーションの充実を図っている。
【０１３０】
ステップ１５２１において、撮影装置所有者１０３には、図１４に示すような撮影要請情報１０９が送信される。そして、１４０１において撮影要請者１０７に関する情報が表示され、１４０３には撮影要請者１０７が入力したコメントが表示される。
【０１３１】
また、撮影対象が管理装置１０１の把握する一般的な地点でなく、撮影要請者１０７自身であったり、他の撮影要請端末１０８を所有する撮影要請者１０７であったりする場合、撮影装置所有者１０３に、撮影対象１１１の位置情報を送信しなければならない。
そのため、管理装置１０１は、撮影要請者情報に１４０２に示すようなマップ形式で、撮影要請者１０７および撮影装置所有者１０３を含む位置情報をあわせて送信する。
【０１３２】
さらに、撮影要請者１０７は、コメント入力ボックス１３０２に示すように撮影対象を区別するための特徴を記載し、送信することで、撮影装置所有者１０３は速やかに撮影要請者１０７を発見し撮影することが可能となる。
【０１３３】
また、さらに撮影要請者１０７を特定する別の方法として図１６、図１７に示すＬＥＤ１６０２〜１６０４、１７０４〜１７０６を使用した撮影要請者を特定する手法について述べる。
【０１３４】
図１６は、ＲＧＢ三色のＬＥＤ１６０２〜１６０４を備えた撮影装置１０４の外観図である。図１７は同様にＬＥＤ１７０４〜１７０６を備えた撮影要請端末１０８の外観図である。
【０１３５】
ステップ１５２３において、撮影装置所有者１０３が撮影要請を承認すると、管理装置１０１は、撮影装置１０４と撮影要請端末１０８に対して同じＬＥＤを同じタイミングで点灯させるような命令を送信する。
【０１３６】
例えば、撮影装置１０４の赤色ＬＥＤ１６０２と撮影要請端末１０８の赤色ＬＥＤ１７０４を１回／秒のタイミングで点滅させるような命令である。
【０１３７】
これにより、撮影装置所有者１０３と、撮影要請者１０７とが互いの保有する装置のＬＥＤの点灯パターン（色およびタイミング）を確認しあうことにより、撮影要請側と撮影装置の所有者側とが互いに認識可能となる。
【０１３８】
ここで、使用されるＬＥＤの種類や数、点灯タイミングなどに制限はなく時間経過によってＬＥＤの点灯パターンを変化させるなどしてもよい。
【０１３９】
一方、撮影装置所有者１０３は、ステップ１５２２により受信した撮影要請フォームを参照の後、何らかの理由で撮影要請を拒否する場合、撮影要請者情報の１４０５のキャンセルを選択することでステップ１５２５へ進み、管理装置１０１へ要請拒否を通知する。
ステップ１５２６において、管理装置１０１の管理通信部１２１は、撮影要請拒否通知を受信する。
【０１４０】
ステップ１５２７において、管理装置１０１の管理通信部１２１は、撮影要請端末１０８へ同様の通知を送信する。
【０１４１】
ステップ１５２８において、撮影要請端末１０８の端末通信部３０１は、撮影要請拒否通知を受信し、他の撮影装置１０４を探索すべくステップ１５１８へ戻る。
【０１４２】
また、ステップ１５２４において撮影が行われたならば、ステップ１５２９〜ステップ１５３１で撮影画像１０５は管理装置１０１を介し、撮影要請者１０７が撮影要請端末１０８の登録情報フォームの画像送信先入力ボックス５０５において指定した送信先へ送信される。
【０１４３】
送信先が例えば撮影要請端末１０８である場合、ステップ１５３２において撮影画像１０５は、撮影要請端末１０８に受信され、撮影要請端末１０８の端末表示装置３０３に表示され撮影要請者１０７の確認を得る（ステップ１５３３）。
【０１４４】
以上のようにして撮影が終了したならば撮影要請者１０７はステップ１５３４においてこのシステムへの登録を終了するか（ステップ１５３５）、再び撮影を継続するか（ステップ１５０５）を選択する。
【０１４５】
システムへの登録の終了が選択されたならば、撮影要請端末１０８はその旨を管理装置１０１へ送信する。そして、管理装置１０１は、対応する撮影要請端末１０８の登録情報をクリアし、その後再び登録が行われるまで撮影要請端末１０８からの撮影要請を受け付けない。
【０１４６】
以上説明したように本発明の実施例２によれば、管理装置は、複数の撮影装置とユーザの状態（保有している撮影装置の種類、撮影の可否、撮影装置の位置等）に関する情報を一元的に記憶し管理を行い、撮影可能な撮影装置を選択する。そして、撮影要請者と選択された撮影装置の所有者とが、コミュニケーションをとり、被写体や撮影装置等の情報を確認し、撮影装置の所有者が撮影を行うことにより、カメラ等の撮影装置を所有しないユーザでも、任意の場所に存在する撮影対象に対して最適な撮影装置の選択と撮影を行うことができ、自由度の高い撮影環境を提供することができる。
【実施例３】
【０１４７】
本実施例においては、撮影要請者１０７が、撮影要請端末１０８上の端末表示装置３０３に表示されるプレビュー画像を参照しながら、撮影装置１０４を遠隔制御し撮影を行うことを特徴とする。
【０１４８】
本実施例の処理のフローについて図１８Ａ，Ｂ、１９を参照して説明する。図１８Ａ，Ｂは、本実施例の処理の流れを表すフローチャートである。図中の実線矢印は処理の順序を、点線矢印は無線通信による情報等の移動を表している。
【０１４９】
実施例３においても、管理装置１０１への撮影要請端末１０８および撮影装置１０４の登録（ステップ１８０１〜ステップ１８０４）、撮影要請情報１０９の送受信と撮影可能な撮影装置１０４探索およびリスト作成（ステップ１８０５〜ステップ１８１５）、撮影可能な撮影装置リストからの撮影装置選択（ステップ１８１６〜ステップ１８１８）までのフローは実施例１，２と同様であるため説明を省略する。
【０１５０】
つづく、撮影要請承認と撮影処理において、本実施例のフローでは、
ステップ１８１９では、撮影要請端末１０８の端末通信部３０１は、撮影装置の選択を送信する。
【０１５１】
ステップ１８２０では、管理装置１０１の管理通信部１２１には、撮影要請を受信する。
【０１５２】
ステップ１８２１では、管理装置１０１の管理通信部１２１には、撮影要請を撮影装置１０４へ送信する。
【０１５３】
ステップ１８２２では、撮影装置１０４の撮影通信部２０４は、撮影要請を受信する。
【０１５４】
ステップ１８２３では、撮影装置１０４では、撮影装置所有者１０３がその撮影要請を受けるか否かの判断を行い、撮影要請を承認する場合はステップ１８２４へ進み、管理装置１０１を介して、撮影要請端末１０８へその旨が送信される（ステップ１８２４、１８２９、１８３０、１８３１）。撮影要請を拒否する場合はステップ１８２５へ進み、管理装置１０１を介して、撮影要請端末１０８へその旨が送信され、ステップ１８１８へ戻る（ステップ１８２５、１８２６、１８２７、１８２８）。
【０１５５】
ステップ１８３２では、撮影要請端末１０８の端末通信部１２１は、撮影要請者１０７の撮影装置１０４の制御命令を管理装置１０１へ送信する。
【０１５６】
ステップ１８３４では、撮影装置１０４の撮影通信部２０４は、制御命令を受信する。
ステップ１８３５では、撮影装置１０４の撮影通信部２０４は、撮影中の画像をリアルタイムでプレビュー画像として撮影要請端末１０８へ、管理装置１０１を介し、送信する（ステップ１８３５〜ステップ１８３７）。
【０１５７】
図１９に、撮影要請端末１０８の端末表示部３０３に表示されるプレビュー画面の例を示す。  端末表示部３０３には、１９０１に示されるように撮影装置１０４が現在撮影中の画像がリアルタイムで表示されるとともに、撮影装置１０４の状態情報が表示されている。
【０１５８】
例えば１９０２にはズームの状態、１９０３には画角制御矢印、１９０４には画像サイズ、１９０５には撮影残り枚数、１９０６にはストロボ設定、１９０７には露出設定、１９０８にはバッテリー残量、１９０９には機種名がそれぞれ表示されている。
【０１５９】
このようなプレビュー画面を、撮影要請端末１０８上で参照しながら撮影要請者１０７は撮影要請端末１０８の端末操作部３０４を操作することで、所望のプレビュー画像が得られるように撮影装置１０４を遠隔操作する（ステップ１８３２〜ステップ１８３８）。
【０１６０】
ステップ１８３９では、撮影要請端末１０８の端末制御部３０６は、端末通信部３０１により、所望のプレビュー画像が得られたときには、撮影要請者１０７の端末操作部３０４の操作により、撮影指令を送信する。
【０１６１】
ステップ１８４０、１８４１において、送信された撮影指令は、管理装置１０１を介して撮影装置１０４に送信される。
【０１６２】
ステップ１８４２において、撮影装置１０４は、撮影部２１１により撮影を行う。
【０１６３】
ステップ１８４３では、撮影装置１０４の撮影通信部２０４は、撮影した画像を管理装置１０１へ送信する。
【０１６４】
ステップ１８４４では、管理装置１０１の管理通信部１２１は、撮影画像を受信するとともに、撮影要請者１０７が撮影要請端末１０８の登録情報フォームの画像送信先入力ボックス５０５において指定した送信先へ撮影画像を送信する。
【０１６５】
なお、ステップ１８３３、ステップ１８３６、ステップ１８４０およびステップ１８４４における制御コマンド、プレビュー画像、撮影コマンド、撮影画像の送受信はそれぞれ上述したように管理装置１０１を介して撮影装置１０４へ送信してもよいし、Ｂｌｕｅｔｏｏｔｈなどの通信手段によって撮影要請端末１０８と撮影装置１０４との間で直接送信してもよい。
【０１６６】
ステップ１８４５、１８４６では、撮影要請端末１０８から指定された出力装置が例えば撮影要請端末１０８自身の場合、受信した撮影画像は端末表示部３０３に表示され、撮影要請者１０７は撮影画像の確認が可能である。
【０１６７】
ステップ１８４７では、撮影要請者１０７は、撮影が終了した否かを判別し、撮影が終了したならば、ステップ１８４８に進み、システムへの登録を終了する。撮影が終了していないならば、ステップ１８０５へ進み、再び撮影を継続する。
【０１６８】
システムへの登録の終了が選択されたならば撮影要請端末１０８は管理装置１０１へその旨を送信する。そして、管理装置１０１は対応する撮影要請端末１０８の登録情報をクリアし、その後再び登録が行われるまで撮影要請端末１０８からの撮影要請を受け付けない。
【０１６９】
以上説明したように、本発明の実施例３によれば、管理装置は、複数の撮影装置とユーザの状態（保有している撮影装置の種類、撮影の可否、撮影装置の位置等）に関する情報を一元的に記憶し管理を行い、撮影可能な撮影装置を選択する。そして、撮影要請者が撮影される画像を撮影要請端末でリアルタイムに確認し、撮影要請者が所望の画像が得られたとき遠隔操作により選択された撮影装置を撮影要請端末により操作し撮影を行うことにより、カメラ等の撮影装置を所有しないユーザでも、任意の場所に存在する撮影対象に対して最適な撮影装置の選択と撮影を行うことができ、自由度の高い撮影環境を提供することができる。
【０１７０】
なお、本発明に係る撮影装置および撮影要請端末は、上記実施例に記載の装置に限られることはなく、他の通信機能を有する撮影装置、例えばカメラ付き携帯電話のようなものであってもよい。
【０１７１】
また、本発明に係る撮影装置および撮影要請端末は、管理装置を介して交信を行い、各種情報や命令のやり取りを行っているが、撮影装置と撮影要請端末との間で直接交信を行ってもよい。
【０１７２】
さらに、上記各実施例は、以下に示す本発明の実施形態を含む。
【０１７３】
（実施形態１）複数の撮影装置と、撮影要請および撮影位置の指定を行う撮影要請装置と、前記指定された位置に基き撮影装置を選択する管理装置とから構成されることを特徴とする撮影管理システム。
【０１７４】
（実施形態２）実施形態１の撮影装置は管理装置または撮影要請装置からの要請に従って撮影することを特徴とする撮影管理システム。
【０１７５】
（実施形態３）  実施形態１の撮影装置は撮影画像を指定した場所へ送信することを特徴とする撮影管理システム。
【０１７６】
（実施形態４）  実施形態１の管理装置は撮影装置より受信した撮影画像を撮影要請装置より指定された場所へ送信することを特徴とする撮影管理システム。
【０１７７】
（実施形態５）  撮影装置情報を管理装置に対して送信する撮影装置情報送信手段と、
管理装置または撮影要請装置からの撮影要請および撮影位置の指定を受信する撮影要請受信手段を有することを特徴とする撮影装置。
【０１７８】
（実施形態６）  実施形態５の撮影装置は撮影した画像情報を撮影要請装置が指定した場所へ送信する画像送信手段を有することを特徴とする撮影装置。
【０１７９】
（実施形態７）  実施形態５および実施形態６の撮影装置は撮影装置状態を検出する撮影装置状態検出手段を有し、前記撮影装置情報送信手段は前記撮影装置状態検出手段の検出する撮影装置の位置情報、撮影装置の方位情報、撮影装置の姿勢情報、撮影装置の撮影準備情報、撮影要請拒否情報のうち少なくとも１つの情報を撮影装置情報として管理装置へ送信することを特徴とする撮影装置。
【０１８０】
（実施形態８）  実施形態５および実施形態６の撮影装置の撮影装置情報送信手段および撮影要請受信手段における情報伝達手段はテキスト・画像・音声などの手段のうち少なくとも一つ以上が含まれることを特徴とする撮影装置。
【０１８１】
（実施形態９）  実施形態５および実施形態６の撮影装置は撮影前画像をリアルタイムで撮影要請装置より指定された場所に送信する送信手段を有することを特徴とする撮影装置。
【０１８２】
（実施形態１０）  実施形態５および実施形態６の撮影装置の撮影要請受信手段は撮影要請装置または管理装置からの制御コマンドを受信し遠隔制御を許可する手段を有することを特徴とする撮影装置。
【０１８３】
（実施形態１１）  実施形態５および実施形態６の撮影装置は撮影履歴を管理装置と送受信する手段を有することを特徴とする撮影装置。
【０１８４】
（実施形態１２）  撮影装置情報を撮影装置より受信する撮影装置情報受信手段と、
撮影要請装置からの撮影要請および撮影位置の指定を受信する撮影要請受信手段と、受信した撮影装置情報、撮影要請および撮影位置の指定に基づいて撮影装置群の中から撮影装置を選択する撮影装置選択手段と、選択された撮影装置の状態を撮影要請装置に送信する撮影装置情報送信手段と、選択された撮影装置に撮影要請装置より受信した撮影要請および撮影位置の指定を送信する撮影要請送信手段とを有することを特徴とする管理装置。
【０１８５】
（実施形態１３）  実施形態１２の管理装置は、撮影装置により撮影された画像情報を受信する画像受信手段と、受信した画像情報を撮影要請装置が指定した場所へ送信する画像送信手段とを有することを特徴とする管理装置。
【０１８６】
（実施形態１４）  実施形態１２および実施形態１３の管理装置の撮影装置情報受信手段は、撮影装置の位置情報、撮影装置の方位情報、撮影装置の姿勢情報、撮影装置の撮影準備情報、撮影要請拒否情報のうち少なくとも１つの情報を撮影装置情報として撮影装置より受信することを特徴とする管理装置。
【０１８７】
（実施形態１５）  実施形態１２および実施形態１３の管理装置の画像受信手段が受信した画像情報を記憶する手段と、撮影要請者に電子情報或は印刷されたプリント画像として受け渡す手順を整える画像取引手段を有することを特徴とする管理装置。
【０１８８】
（実施形態１６）  実施形態１５における画像取引手段は前記受信した画像情報を印刷する印刷手段と印刷されたプリント画像を撮影要請者に配信する配信システムを有する管理装置。
【０１８９】
（実施形態１７）  実施形態１２および実施形態１３の管理装置の撮影装置情報受信手段、撮影装置情報送信手段、撮影要請受信手段および撮影要請送信手段はにおける情報伝達手段はテキスト・画像・音声などの手段のうち少なくとも一つ以上が含まれることを特徴とする管理装置。
【０１９０】
（実施形態１８）  実施形態１２および実施形態１３の管理装置は記憶された画像情報を撮影要請装置の指定する場所に送信する際に送信先に応じて画像情報を加工する手段を有することを特徴とする管理装置。
【０１９１】
（実施形態１９）  実施形態１２および実施形態１３の管理装置は記憶された画像情報の内容に基き画像情報を撮影要請装置より指定された場所に送信するか否かを判断する判断手段を有することを特徴とする管理装置。
【０１９２】
（実施形態２０）  実施形態１２および実施形態１３の管理装置は撮影前画像をリアルタイムで撮影要請装置の指定された場所に送信する送信手段を有することを特徴とする管理装置。
【０１９３】
（実施形態２１）  実施形態１２および実施形態１３の管理装置の撮影要請受信手段および撮影要請送信手段は撮影要請装置より撮影装置制御コマンドを受信し、受信した撮影装置制御コマンドを撮影装置へ送信する遠隔制御を行う制御コマンド送受信手段を有することを特徴とする管理装置。
【０１９４】
（実施形態２２）  実施形態１２および実施形態１３の管理装置は撮影履歴を撮影装置と送受信し、記録する手段を有することを特徴とする管理装置。
【０１９５】
（実施形態２３）  管理装置に撮影要請および撮影位置の指定を送信する撮影要請送信手段と、撮影要請送信手段の情報に基づき複数の撮影装置群の中で管理装置が選択した撮影装置の状態を管理装置より受信する撮影装置情報受信手段を有することを特徴とする撮影要請装置。
【０１９６】
（実施形態２４）  実施形態２３の撮影要請装置は撮影装置により撮影された画像情報を受信する画像受信手段を有する事を特徴とする撮影要請装置。
【０１９７】
（実施形態２５）  実施形態２３および実施形態２４の撮影要請装置は撮影装置情報受信手段で受信した撮影装置情報を表示する表示手段と、表示手段の表示結果に基づき撮影要請者が撮影装置を決定する撮影装置決定手段を有することを特徴とする撮影要請装置。
【０１９８】
（実施形態２６）  実施形態２３および実施形態２４の撮影要請装置の撮影装置情報受信手段は撮影装置の位置情報、撮影装置の方位情報、撮影装置の姿勢情報、撮影装置の撮影準備情報、撮影要請拒否情報のうち少なくとも１つの情報を撮影装置情報として管理装置より受信することを特徴とする撮影要請装置。
【０１９９】
（実施形態２７）  実施形態２３および実施形態２４の撮影要請装置の撮影装置情報受信手段および撮影要請送信手段はにおける情報伝達手段はテキスト・画像・音声などの手段のうち少なくとも一つ以上が含まれることを特徴とする撮影要請装置。
【０２００】
（実施形態２８）  実施形態２３および実施形態２４の撮影要請装置は撮影装置または管理装置より送信される撮影前画像をリアルタイムで受信する受信手段と表示を行う表示手段を有することを特徴とする撮影要請装置。
【０２０１】
（実施形態２９）  実施形態２３および実施形態２４の撮影要請装置の撮影要請送信手段は撮影装置または管理装置へ撮影装置制御コマンドを送信し遠隔制御を行う制御コマンド送信手段を有することを特徴とする撮影要請装置。
【０２０２】
（実施形態３０）  実施形態２３および実施形態２４の撮影要請装置は撮影履歴をカメラの管理装置と送受信する手段を有することを特徴とする撮影要請装置。
【０２０３】
（実施形態３１）  実施形態２３および実施形態２４の撮影要請装置の撮影装置情報受信手段により受信した撮影装置情報を表示する表示手段は、管理装置が選択した撮影装置のリストをテキスト情報またはアイコンのようなイメージ情報で表示、または音声情報で提示し撮影要請者が容易に選択可能な表示手段であることを特徴とする撮影要請装置。
【図面の簡単な説明】
【０２０４】
【図１】本発明システムの概略を示す構成図。
【図２】本発明の撮影装置の概観を示す図。
【図３】本発明の撮影要請装置の概観を示す図。
【図４Ａ】本発明の実施例１の処理を説明するフローチャート。
【図４Ｂ】本発明の実施例１の処理を説明するフローチャート。
【図５】撮影要請装置の登録情報フォームの例。
【図６】撮影要請装置の詳細設定フォームの例。
【図７】撮影要請装置の撮影要請フォームの例。
【図８】撮影装置の登録情報フォームの例。
【図９】撮影装置の制限設定フォームの例。
【図１０】管理装置が作成する撮影可能な撮影装置リストのテキスト表示例。
【図１１】管理装置が作成する撮影可能な撮影装置リストのアイコン表示例。
【図１２】撮影要請装置の登録情報フォームの例。
【図１３】撮影要請措置の撮影要請フォームの例。
【図１４】撮影装置に送信される撮影要請者情報の例。
【図１５Ａ】本発明の実施例２の処理を説明するフローチャート。
【図１５Ｂ】本発明の実施例２の処理を説明するフローチャート。
【図１６】ＬＥＤを有する撮影装置の概観を示す図。
【図１７】ＬＥＤを有する撮影要請装置の図。
【図１８Ａ】本発明の実施例３の処理を説明するフローチャート。
【図１８Ｂ】本発明の実施例３の処理を説明するフローチャート。
【図１９】撮影要請装置に表示されるプレビュー画面の例。
【図２０】管理装置が作成する撮影可能な撮影装置リストのマップ表示例。
【符号の説明】
【０２０５】
１０１：管理装置
１０４：撮影装置
１０８：撮影要請装置
２０４：撮影通信手段
【図１】
2005167504.tif 000003
【図２】
2005167504.tif 000004
【図３】
2005167504.tif 000005
【図４Ａ】
2005167504.tif 000006
【図４Ｂ】
2005167504.tif 000007
【図５】
2005167504.tif 000008
【図６】
2005167504.tif 000009
【図７】
2005167504.tif 000010
【図８】
2005167504.tif 000011
【図９】
2005167504.tif 000012
【図１０】
2005167504.tif 000013
【図１１】
2005167504.tif 000014
【図１２】
2005167504.tif 000015
【図１３】
2005167504.tif 000016
【図１４】
2005167504.tif 000017
【図１５Ａ】
2005167504.tif 000018
【図１５Ｂ】
2005167504.tif 000019
【図１６】
2005167504.tif 000020
【図１７】
2005167504.tif 000021
【図１８Ａ】
2005167504.tif 000022
【図１８Ｂ】
2005167504.tif 000023
【図１９】
2005167504.tif 000024
【図２０】
2005167504.tif 000025